(57)【要約】【課題】  ライトストリップ及びそれを応用する照明装置を提供する。【解決手段】  ライトストリップ１０は透明基板１１上に、少なくとも１個の発光ダイオード１２を設置し、保護層１３は透明基板１１及び各発光ダイオード１２を覆い、保護層１３外周は蛍光層１４で覆い、蛍光層１４外周は光均一層１５で覆う。これにより３６０度全方向出光効果を形成するライトストリップ１０を構成し、及びこれによりそれを応用する照明装置はライトボード、ライトユニット、さらには電球形態の商品とすることができる。【選択図】  図２
2016219366.tif 000002
【特許請求の範囲】
【請求項１】
ライトストリップは、透明基板、少なくとも１個の発光ダイオード、保護層、蛍光層、および光均一層を有し、
前記透明基板は、光透過性を備える可撓性基板で、
前記少なくとも１個の発光ダイオードは、少なくとも１個の導電膜を通して、前記透明基板上に固定して設置され、
前記保護層は、前記透明基板及び前記各発光ダイオード外周を覆い、光透過性を備える第一樹脂材料により硬化成型し、
前記蛍光層は、前記保護層外周を覆う蛍光粉により構成し、
前記光均一層は、前記蛍光層外周を覆い、光透過性を備える第二樹脂材料により硬化成型されることを特徴とするライトストリップ。
【請求項２】
前記ライトストリップは、前記光均一層外周を光透過材で覆うことを特徴とする請求項１に記載のライトストリップ。
【請求項３】
前記ライトストリップは、前記光均一層外周には、少なくとも１個の光電エネルギー部品を固定して設置することを特徴とする請求項１に記載のライトストリップ。
【請求項４】
前記ライトストリップは、前記光均一層外周に、少なくとも１個の熱電エネルギー部品を固定して設置することを特徴とする請求項１に記載のライトストリップ。
【請求項５】
前記ライトストリップは、前記光均一層外周には、少なくとも１個の光電エネルギー部品、及び少なくとも１個の熱電エネルギー部品を固定して設置することを特徴とする請求項１に記載のライトストリップ。
【請求項６】
前記ライトストリップは、前記光均一層外周には、少なくとも１個の光電エネルギー部品、及び少なくとも１個の熱電エネルギー部品を固定して設置し、
前記光均一層外周には、前記光均一層、前記光電エネルギー部品、前記熱電エネルギー部品を覆う光透過材を設置することを特徴とする請求項１に記載のライトストリップ。
【請求項７】
前記各導電膜は、光透過性を備えるインジウムスズ酸化物であることを特徴とする請求項１に記載のライトストリップ。
【請求項８】
前記各発光ダイオードは、半導体ウエハチップであることを特徴とする請求項１に記載のライトストリップ。
【請求項９】
前記透明基板材質は、窒化ガリウム基板或いはサファイヤ基板の内の何れかを選択することを特徴とする請求項１に記載のライトストリップ。
【請求項１０】
前記保護層は、シリコン或いは樹脂の内の何れか一つの硬化により成型することを特徴とする請求項１に記載のライトストリップ。
【請求項１１】
前記光均一層には、蛍光粉を加えることを特徴とする請求項１に記載のライトストリップ。
【請求項１２】
前記光均一層は、シリコン或いは光学材質の内の何れか一つの硬化により成型することを特徴とする請求項１に記載のライトストリップ。
【請求項１３】
前記各発光ダイオードは、ウエハボンディング（Ｗａｆｅｒ  Ｂｏｎｄｉｎｇ）を通して、前記透明基板上に固定されることを特徴とする請求項１に記載のライトストリップ。
【請求項１４】
前記ウエハボンディング（Ｗａｆｅｒ  Ｂｏｎｄｉｎｇ）は、ダイレクトボンディング（ｄｉｒｅｃｔ  ｂｏｎｄｉｎｇ）或いはグルーボンディング（Ｇｌｕｅ  ｂｏｎｄｉｎｇ）の内の何れかであることを特徴とする請求項１３に記載のライトストリップ。
【請求項１５】
前記光透過材は、ガラス或いはケイ素の内の何れかを選択することを特徴とする請求項１に記載のライトストリップ。
【請求項１６】
照明装置は、ランプ台、少なくとも１個のライトストリップ、およびコントロールモジュールを有し、
前記少なくとも１個のライトストリップは、前記ランプ台上に設置し、前記各ライトストリップは、透明基板上に、少なくとも１個の発光ダイオードを設置し、前記各発光ダイオードは、少なくとも１個の導電膜を通して、前記透明基板上に固定して設置され、別に前記透明基板及び前記各発光ダイオード外周は、光透過性の第一樹脂材料を硬化して成型する保護層で覆い、前記保護層外周は、蛍光粉により構成される蛍光層により覆い、前記蛍光層外周は、光透過性の第二樹脂材料を硬化して成型する光均一層で覆い、前記光均一層外周には、少なくとも１個の光電エネルギー部品、及び少なくとも１個の熱電エネルギー部品を固定して設置し、
前記コントロールモジュールは、前記各発光ダイオード、前記各光電エネルギー部品、前記各熱電エネルギー部品と電気的に連接し、これにより外部電源及び前記各光電エネルギー部品、前記各熱電エネルギー部品が生じる電源に連接でき、且つ前記各発光ダイオードの電流のオン／オフをコントロールできることを特徴とする照明装置。
【請求項１７】
前記照明装置は、前記ランプ台上に、少なくとも１組のブラケットを設置し、
前記各ブラケット上には、少なくとも１個のライトストリップを設置することを特徴とする請求項１６に記載の照明装置。
【請求項１８】
前記照明装置は、前記コントロール回路と電気的に連接する蓄電モジュールをさらに設置することを特徴とする請求項１６に記載の照明装置。
【請求項１９】
前記照明装置は、前記コントロール回路と電気的に連接する蓄電モジュールをさらに設置し、
前記ランプ台上には、少なくとも１組のブラケットを設置し、
前記各ブラケット上には、少なくとも１個のライトストリップを設置することを特徴とする請求項１６に記載の照明装置。
【請求項２０】
前記各ライトストリップは、前記光均一層外周に前記光均一層、前記光電エネルギー部品、前記熱電エネルギー部品を覆う光透過材を設置することを特徴とする請求項１６に記載の照明装置。
【請求項２１】
前記光透過材は、ガラス或いはケイ素の内の何れかを選択することを特徴とする請求項２０に記載の照明装置。
【請求項２２】
前記各ライトストリップは丸くし環状を呈することを特徴とする請求項１７或いは１９に記載の照明装置。
【請求項２３】
前記各ライトストリップは丸くし螺旋状を呈することを特徴とする請求項１７或いは１９に記載の照明装置。
【請求項２４】
前記コントロールモジュールは、起動ユニット、ディテクトユニット、計算ユニット、補償ユニット、無線信号受信ユニット、電圧安定ユニットを電気的に連接して構成されることを特徴とする請求項１６に記載の照明装置。
【発明の詳細な説明】
【技術分野】
【０００１】
本発明はライトストリップ及びそれを応用する照明装置に関し、特に発光ダイオードライトストリップ及びそれを応用する発光ダイオード照明装置に関する。
【背景技術】
【０００２】
発光ダイオード（Ｌｉｇｈｔ  Ｅｍｉｔｔｉｎｇ  Ｄｉｏｄｅ、  ＬＥＤ）は、電流を特定波長範囲の光に転換できる半導体部品である。
発光ダイオードは輝度が高く、作動電圧が低く、電力消費が少なく、ＩＣと対応させ易く、駆動が簡単で、使用寿命が長い等の長所があるため、光源として照明領域に幅広く応用されている。
【０００３】
発光ダイオードライトストリップは、発光ダイオードをストリップ状に配列させた発光部品である。
製造が容易で、コストが低いため、その応用は徐々に広がっている。
従来の発光ダイオードライトストリップは主に、細長い形状の基板及び基板上に取り付ける複数の発光ダイオードを有する。
該複数の発光ダイオードは、基板の表面に設置され、これにより予定規格の長さを備える発光ダイオードライトストリップを構成する。
【０００４】
従来の発光ダイオードライトストリップに使用する基板には、アルミ基板と銅箔基板がある。
使用時には、単一発光ダイオードライトストリップを、応用する設備に取り付け、および／または数が一定でない発光ダイオードライトストリップを直列接続後、光源の長さを拡大する。
【０００５】
しかしながら、従来の発光ダイオードライトストリップは、直線取り付けの方式による使用しか提供することができない。
また、発光ダイオードを基板片側に取り付ける構造設計により、その光源は単一方向にしか照射されない。
さらに、その照射角度には限界があり、その使用範囲を拡大することができない。
【先行技術文献】
【特許文献】
【０００６】
【特許文献１】台湾特許第２０１４３２９５１号明細書
【特許文献１】台湾特許第２０１４００７４２号明細書
【発明の概要】
【発明が解決しようとする課題】
【０００７】
前記先行技術には、直線取り付けの方式による使用しか提供することができず、また、発光ダイオードを基板片側に取り付ける構造設計により、その光源は単一方向にしか照射されず、さらに、その照射角度には限界があり、その使用範囲を拡大することができない欠点がある。
【課題を解決するための手段】
【０００８】
本発明は全方向性光源照射効果を形成可能なライトストリップ、及びそれを応用する照明装置に関する。
【０００９】
本発明によるライトストリップ及びそれを応用する照明装置において、ライトストリップは、透明基板、少なくとも１個の発光ダイオード、保護層、蛍光層、光均一層を有する。
該透明基板は、光透過性を備える可撓性基板である。
該少なくとも１個の発光ダイオードは、少なくとも１個の導電膜を通して、該透明基板上に固定して設置される。
該保護層は、該透明基板及び該各発光ダイオード外周を覆い、光透過性を備える第一樹脂材料により硬化成型し、該蛍光層は該保護層外周を覆う蛍光粉により構成し、該光均一層は該蛍光層外周を覆い、光透過性を備える第二樹脂材料により硬化成型される。
【００１０】
本発明のライトストリップは、使用時には導電膜を通して電源に連接し、該発光ダイオードに電流が通ると、該蛍光層及び該光均一層の補助作用の下、該発光ダイオードの光源は、該保護層全外周へと照射され、全方向性の３６０度出光効果を生じる。
【００１１】
本発明による照明装置は、ランプ台、少なくとも１個のライトストリップ、コントロールモジュールを有する。
該少なくとも１個のライトストリップは、該ランプ台上に設置し、該各ライトストリップは、透明基板上に、少なくとも１個の発光ダイオードを設置し、該各発光ダイオードは、少なくとも１個の導電膜を通して、該透明基板上に固定して設置され、別に該透明基板及び該各発光ダイオード外周は、光透過性の第一樹脂材料を硬化して成型する保護層で覆い、該保護層外周は、蛍光粉により構成される蛍光層により覆い、該蛍光層外周は、光透過性の第二樹脂材料を硬化して成型する光均一層で覆い、該光均一層外周には、少なくとも１個の光電エネルギー部品、及び少なくとも１個の熱電エネルギー部品を固定して設置する。
該コントロールモジュールは、該各発光ダイオード、該各光電エネルギー部品、該各熱電エネルギー部品と電気的に連接し、これにより外部電源及び該各光電エネルギー部品、該各熱電エネルギー部品が生じる電源に連接でき、且つ該各発光ダイオードの電流のオン／オフをコントロールできる。
【００１２】
本発明によるライトストリップにより、３６０度全方向出光効果を形成できる照明装置が構成され、且つコントロールモジュール及び各光電エネルギー部品、各熱電エネルギー部品の統合作動により、該発光ダイオードが生じる光エネルギー及び熱エネルギーを回收し、照明装置の作動に必要な電気エネルギーに転換して供給することができる。
【００１３】
本発明の実施形態を応用する特徴の一つは、本発明によるライトストリップは、３６０度全方向の光源照射効果を提供できる他、非直線の構造形態を採用することができるため、それを応用する照明装置は、ライトボード、ライトユニット、さらには電球形態の商品とすることもできる。
特に、各光電エネルギー部品、各熱電エネルギー部品及び蓄電モジュールの統合作動により、発光ダイオードが生じる光エネルギー及び熱エネルギーを回收し、照明装置の作動に必要な電気エネルギーに転換して供給することができ、省エネ節電の効果を際立たせることもできる。
【図面の簡単な説明】
【００１４】
【図１】本発明の第一実施形態によるライトストリップ構造の断面図である。
【図２】本発明第二実施形態の断面構造の断面図である。
【図３】本発明の第一種実施方式による照明装置の構造図である。
【図４】本発明の第二種実施方式による照明装置の構造図である。
【図５】本発明の第三種実施方式による照明装置の構造図である。
【図６】本発明中のライトストリップ構造の形態模式図である。
【図７】本発明中のライトストリップの別種の構造の形態模式図である。
【発明を実施するための形態】
【００１５】
（一実施形態）
本発明は、全方向性光源照射効果を形成可能なライトストリップ、及びそれを応用する照明装置で、図１に示すとおり、本発明のライトストリップ１０は、透明基板１１、少なくとも１個の発光ダイオード１２、保護層１３、蛍光層１４、及び光均一層１５を有する。
【００１６】
透明基板１１は、光透過性を備える可撓性基板で、発光ダイオード１２を搭載する機械構造主体とする。
実施時には、透明基板１１の材質は、窒化ガリウム基板或いはサファイヤ基板の内の何れかを選択することができる。
【００１７】
各発光ダイオード１２は、少なくとも１個の導電膜１２１を通して、透明基板１１上に固定して設置される。
各発光ダイオード１２は、半導体ウエハチップである。
各導電膜１２１は、光透過性を備えるインジウムスズ酸化物である。
【００１８】
実施時には、各発光ダイオード１２は、さらに、ウエハボンディング（Ｗａｆｅｒ  Ｂｏｎｄｉｎｇ）を通して、透明基板上に固定される。
チップ固定は、ダイレクトボンディング（ｄｉｒｅｃｔ  ｂｏｎｄｉｎｇ）或いはグルーボンディング（Ｇｌｕｅ  ｂｏｎｄｉｎｇ）の内の何れかである。
【００１９】
保護層１３は、透明基板１１及び各発光ダイオード１２外周を覆い、光透過性を備える第一樹脂材料を硬化成型し、透明基板１１及び各発光ダイオード１２の組み立て構造の固定に用い、及び透明基板１１及び各発光ダイオード１２にシールド作用を構成する。
実施時には、保護層１３は、シリコン硬化により成型される。
【００２０】
蛍光層１４は、保護層１３の外周を覆う蛍光粉により構成され、蛍光粉を利用し、発光ダイオード１２の光源とレーザー反応を生じ、これにより予期の光色表現効果を達成する。
【００２１】
光均一層１５は、蛍光層１４の外周を覆い、光透過性を備える第二樹脂材料により硬化成型される。
実施時には、光均一層１５は、シリコン硬化により成型される。
光均一層１５にも蛍光粉を加えることができ、これにより第二次レーザー反応を生じることもできる。
【００２２】
原則として、本発明のライトストリップ１０は、使用時に、導電膜１２１を通して電源と連接する。
発光ダイオード１２に電流が通ると、蛍光層１４及び光均一層１５の補助作用の下、発光ダイオード１２の光源は、保護層全外周へと照射され、全方向性の３６０度出光効果を生じる。
【００２３】
また、保護層13は第一樹脂材料を硬化して成型する。
第一樹脂材料は、シリコン或いは樹脂の内の何れか一つである。
光均一層15は第二樹脂材料を硬化して成型する。
第二樹脂材料は、シリコン或いは光学材質の内の何れか一つである。
第一樹脂材料と第二樹脂材料とは相同の材質とすることができる。
当然、第一樹脂材料と第二樹脂材料とは異なる材質とすることができる。
【００２４】
こうして、ライトストリップ10は、以下の効果を備える。
1.さまざまな形の変化に応じて、ウエハ封入形態構造を調整することができる。
2.光透過性を高め、光減衰率を低下させられる。
3.自体熱放射効果と散熱速度を高めることができる。
4.光源の誘発を高め、青色光の放射量を低下及び隔絶し、光源の放射をより均一で温和にすることができる。
5.演色性を向上させられる。 
【００２５】
さらに、本発明のライトストリップ１０は、光均一層１５外周をさらに光透過材１６で覆う。
これにより、ライトストリップ１０全体の構造強度及び信頼性を拡大することができる。
実施時には、光透過材１６は、ガラス或いはケイ素の内の何れかを選択することができる。
ライトストリップ１０全体は、光均一層１５外周に光エネルギーを電気エネルギーに転換することができる少なくとも１個の光電エネルギー部品１７を固定して設置し、或いは光均一層１５外周に、熱エネルギーを電気エネルギーに転換することができる少なくとも１個の熱電エネルギー部品１８を固定して設置することができる。
【００２６】
もちろん、ライトストリップ１０全体は、図１に示すとおり、光均一層１５の外周に、光エネルギーを電気エネルギーに転換することができる少なくとも１個の光電エネルギー部品１７、熱エネルギーを電気エネルギーに転換することができる少なくとも１個の熱電エネルギー部品１８を固定して設置することができ、及び光均一層１５の外周に、光均一層１５、光電エネルギー部品１７、熱電エネルギー部品１８を設置し覆う光透過材１６の構造形態とすることが好ましい。
【００２７】
図２及び図３に同時に示すとおり、本発明の照明装置は、ランプ台２０、少なくとも１個のライトストリップ１０、及びコントロールモジュール３０を有する。
【００２８】
各ライトストリップ１０は、ランプ台２０上に設置される。
各ライトストリップ１０は、透明基板１１上に、少なくとも１個の発光ダイオード１２を設置する。
各発光ダイオード１２は、少なくとも１個の導電膜１２１を通して、透明基板１１上に固定して設置される。
また、透明基板１１及び各発光ダイオード１２外周は、光透過性の第一樹脂材料を硬化して成型する保護層１３により覆う。
保護層１３外周は、蛍光粉により構成される蛍光層１４により覆う。
蛍光層１４外周は、光透過性の第二樹脂材料を硬化して成型する光均一層１５で覆う。
光均一層１５外周には、光エネルギーを電気エネルギーに転換することができる少なくとも１個の光電エネルギー部品１７、及び熱エネルギーを電気エネルギーに転換することができる少なくとも１個の熱電エネルギー部品１８を固定して設置する。
【００２９】
コントロールモジュール３０は、各発光ダイオード１２、各光電エネルギー部品１７、各熱電エネルギー部品１８と電気的に連接し、これにより外部電源及び各光電エネルギー部品１７、各熱電エネルギー部品１８が生じる電源に連接し、且つ各発光ダイオード１２の電流のオン／オフをコントロールする。
【００３０】
これにより、ライトストリップ１０により、３６０度全方向出光効果を形成する照明装置を構成でき、且つコントロールモジュール３０及び各光電エネルギー部品１７、各熱電エネルギー部品１８の統合作動の下、発光ダイオード１２が生じる光エネルギー及び熱エネルギーを回收し、照明装置の作動に必要な電気エネルギーに転換して供給することができる。
【００３１】
さらに、照明装置全体はさらに、コントロール回路３０と電気的に連接する蓄電モジュール４０を設置し、各光電エネルギー部品１７及び各熱電エネルギー部品１８が生じる電気エネルギーを保存することができる。
【００３２】
本発明の照明装置は、実施時には、図３に示すとおり、ライトストリップ１０を、ランプ台２０上にダイレクトに設置する。
或いは、図４に示すとおり、ランプ台２０上に、少なくとも１組のブラケット５０を設置し、各ブラケット５０上には、少なくとも１個のライトストリップ１０を設置し、照明装置全体のデザインの変化効果を拡大し、或いは異なる機能性を形成することができる。
【００３３】
照明装置全体にはさらに、コントロール回路３０と電気的に連接する蓄電モジュール４０を設置でき、及びランプ台２０上には、少なくとも１組のブラケット５０を設置することができる。
各ブラケット５０上には、少なくとも１個のライトストリップ１０を設置する構造形態が好ましい。
【００３４】
図３及び図４に示す実施形態において、照明装置は、シーリングライト或いはウォールライトの商品形態で形成する。
もちろん、ブラケット５０の形状を変えることで、照明装置全体は、図５に示すデスクライトの形態とすることもできる。
さらには、各ライトストリップ１０を丸くし、図６に示す環状とし、或いは各ライトストリップ１０を丸くし図７に示す螺旋状することで照明装置に応用し、ライトボード、ライトユニット、さらには電球の商品形態で使用することもできる。
【００３５】
同様に、各ライトストリップ１０は、図２に示すとおり、光均一層１５外周に光均一層１５、光電エネルギー部品１７、熱電エネルギー部品１８を覆う光透過材１６をさらに設置する。
光透過材１６は、ガラス或いはケイ素の内の何れかを選択することができる。
【００３６】
コントロールモジュールは、起動ユニット、ディテクトユニット、計算ユニット、補償ユニット、無線信号受信ユニット、電圧安定ユニットにより電気的に連接して構成される。
起動ユニットは、スイッチ電源を起動する。
ディテクトユニットは、照明装置全体が用電状態にあるか否かをディテクトする。
計算ユニットは、照明装置全体で不足している電力量を計算する。
補償ユニットは、計算ユニットが算出した不足電力量に基づき、市内電源に変えて供給し、これにより市内電源の使用量を最少に抑えつつ使用することができる。
さらには、無線信号受信ユニットは、リモコン、スマートホン、タブレットＰＣからのコントロール信号を受信し、リモートコントロール効果を達成する。
【００３７】
従来の技術と比較し、本発明によるライトストリップは、３６０度全方向の光源照射効果を提供できる他、非直線の構造形態を採用することができる。
これにより、それを応用する照明装置は、ライトボード、ライトユニット、さらには電球の商品形態で使用することができる。
特に、各光電エネルギー部品、各熱電エネルギー部品及び蓄電モジュールの統合作動により、発光ダイオードが生じる光エネルギー及び熱エネルギーを回收し、照明装置の作動に必要な電気エネルギーに転換して供給することができ、省エネ節電の効果を際立たせることもできる。
【００３８】
前述した本発明の実施形態は本発明を限定するものではなく、よって、本発明により保護される範囲は後述される特許請求の範囲を基準とする。
【符号の説明】
【００３９】
１０  ライトストリップ
１１  透明基板
１２  発光ダイオード
１２１  導電膜
１３  保護層
１４  蛍光層
１５  光均一層
１６  光透過材
１７  光電エネルギー部品
１８  熱電エネルギー部品
２０  ランプ台
３０  コントロールモジュール
４０  蓄電モジュール
５０  ブラケット
【図１】
2016219366.tif 000003
【図２】
2016219366.tif 000004
【図３】
2016219366.tif 000005
【図４】
2016219366.tif 000006
【図５】
2016219366.tif 000007
【図６】
2016219366.tif 000008
【図７】
2016219366.tif 000009